(57)【要約】      （修正有）【課題】ケーブルを収容して整理するのに適したケーブル巻取器、およびこの巻取器を収容するケースを提供すること。【解決手段】一対の半部材１００Ａ，１００Ｂにより構成されるケーブル巻取器であって、前記半部材は、平板状をなしコーナー部に係合用凹凸部１１２Ａ，１１２Ｂ、側縁に折曲げ爪１１３およびこの折曲げ爪と対応する係止窪み１１４、中央部に開口を有する基板１１１と、前記基板の一面に前記開口の少なくとも一部を取り囲むように立設され一部が切起こされて先端に他の前記半部材と係合する係合爪が形成された囲い壁、および前記囲い壁の端部寄り部分を結合するように設けられた中間壁を有し前記囲い壁および前記中間壁には、ケーブル受け用の切込みが設けられた壁体とをそなえたケーブル巻取器１００、およびケーブル巻取器用ケース。【選択図】図１
0003140990.tif 000002
【実用新案登録請求の範囲】
【請求項１】
それぞれが同一形状を有する一対の半部材により構成されるケーブル巻取器であって、
前記半部材は、
平板状をなし、コーナー部に係合用凹凸部を、側縁に折曲げ爪およびこの折曲げ爪と対応する係止窪みを、中央部に開口を有する基板と、
前記基板の一面に前記開口の少なくとも一部を取り囲むように立設され一部が切起こされて先端に他の前記半部材と係合する係合爪が形成された囲い壁、および前記囲い壁の端部寄り部分を結合するように設けられた中間壁を有し、前記囲い壁および前記中間壁には、ケーブル受け用の切込みが設けられてなる壁体と
をそなえたことを特徴とするケーブル巻取器。
【請求項２】
請求項１記載のケーブル巻取器において、
前記係合用凹凸部は、前記基板に対応する位置が、一面側では凹で多面側では凸をなすように形成されたことを特徴とするケーブル巻取器。
【請求項３】
請求項１記載のケーブル巻取器において、
前記開口は、前記係合爪が配される部分が除去されて爪掛となっていることを特徴とするケーブル巻取器。
【請求項４】
請求項１記載のケーブル巻取器において、
前記囲い壁の前記係合爪の位置に対応した基部に、他のケーブル巻取器の前記係合爪の先端が入り込み得る逃げ穴が形成されたことを特徴とするケーブル巻取器。
【請求項５】
請求項１記載のケーブル巻取器を収容する空間を形成する箱体と、
前記箱体の前記基板と並行となる面から延び出し、中央部に懸留用穴を有する延在部とを備えたことを特徴とするケーブル巻取器用ケース。
【請求項６】
請求項５記載のケーブル巻取器用ケースにおいて、
前記箱体は、ケーブル引出し用穴を有することを特徴とするケーブル巻取器用ケース。
【考案の詳細な説明】
【技術分野】
【０００１】
本考案は、ケーブルを巻き込むための巻取器に係わり、とくに一対の半部材を組み合わせて構成するケーブル巻取器、およびその巻取器を収容するケースに関する。
【背景技術】
【０００２】
従来、配線後のケーブルをできるだけコンパクトに纏めておくために、何らかの器具を用いていることが多い。光ケーブルの場合は、特許文献１に示される例がある。
【０００３】
そして、例えばテレビジョン受像機に信号を供給するために同軸ケーブルを用いる場合、同軸ケーブルに余りが出ることが多い。その場合、例えば図４に示すような同軸ケーブル巻取ケース１０に同軸ケーブルを巻き込んで纏めておく。
【０００４】
このケース１０は、眼鏡ケースのように平面形状が小判型で丸みを帯びた半割り形状をなしたもので、一方の半部材１１が壁材から内側に突出したケーブル巻付用の２つの突起１１Ａを、長手方向の端部にケーブル通し穴１１Ｂを、側縁部に他の半部材１２と係合する爪１１Ｃを有し、他の半部材１２は、壁材でもあり突起１１Ａの先端が当接する当り部１２Ａ、およびもう一つの半部材１１の爪１１Ｃと係合する爪１２Ｂを有し、ヒンジ１３で連結されたものである。
【特許文献１】特開２００６−３４０５１９号公報
【考案の開示】
【考案が解決しようとする課題】
【０００５】
上記同軸ケーブル巻取用ケースは、内部に同軸ケーブルを収容して床面に配するものである。
【０００６】
しかしながら、床面には電源コードであるとか他のケーブルとかが這い回っていることが多く、ケーブルを整理し切れた形にできない。
【０００７】
本考案は、上述の点を考慮してなされたもので、ケーブルを収容して整理するのに適したケーブル巻取器、およびこの巻取器を収容するケースを提供することを目的とする。
【課題を解決するための手段】
【０００８】
上記目的達成のため、本考案では、
それぞれが同一形状を有する一対の半部材により構成されるケーブル巻取器であって、
前記半部材は、
平板状をなし、コーナー部に係合用凹凸部を、側縁に折曲げ爪およびこの折曲げ爪と対応する係止窪みを、中央部に開口を有する基板と、
前記基板の一面に前記開口の少なくとも一部を取り囲むように立設され一部が切起こされて先端に他の前記半部材と係合する係合爪が形成された囲い壁、および前記囲い壁の端部寄り部分を結合するように設けられた中間壁を有し、前記囲い壁および前記中間壁には、ケーブル受け用の切込みが設けられてなる壁体と
をそなえたことを特徴とするケーブル巻取器、
および
上記ケーブル巻取器を収容する空間を形成する箱体と、
前記箱体の前記基板と並行となる面から延び出し、中央部に懸留用穴を有する延在部とを備えたことを特徴とするケーブル巻取器用ケース、
を提供するものである。
【考案の効果】
【０００９】
本考案は上述のように、一対の半部材を組み合わせるものであって、かつ係合用凹凸部を有するケーブル巻取器として構成されるため、単独でもよいし複数の巻取器を重ねても使用することができ、ケーブルをコンパクトに纏めることができる。
【００１０】
また、ケースには懸留用穴が設けられているため、ケーブル巻取器を収容して室内の壁に懸けることができ、室内にケーブルが這い回ることを防げるから整理に便利である。
【考案を実施するための最良の形態】
【００１１】
以下、図１ないし図３を参照して本考案の実施の形態を説明する。
【実施例１】
【００１２】
図１(a)は、本考案の一実施例の組み立て途中の状態を示した斜視図であり、図１(b)は、組み立て後の状態を示した斜視図である。図示のように、コネクタ１１および同軸ケーブル１２により構成されるケーブル１０は、一対の平行な板状部材の間にある空間に巻き取られて収納される。
【００１３】
すなわち、巻取器１００は、詳細は図２により後述するが、一対の半部材つまり板状部材１００Ａ，１００Ｂが対向配置されて両者間にケーブル巻取用の空間が形成されるように構成されている。
【００１４】
また、一対の板状部材１００Ａと１００Ｂとは、一方の板状部材１００Ａにおける折曲げ爪１１３を折り曲げて他方の板状部材１００Ｂにおける係止窪み１１４に係止させることにより固定する。すなわち、図１(a)から図１(b)に変えることにより、一対の板状部材１００Ａ，１００Ｂが相互に係止して固定される。このとき、折曲げ爪１１３の先端が他方の板状部材の面から突出することとなるが、この突出分は折曲げ爪１１３の基部が折り曲げられることにより生じる小さな空間に収まる。
【００１５】
図２は、板状部材１００の詳細構造を示したものである。板状部材１００は、一対で一つのケーブル巻取器を構成するもので、その意味で半部材と呼ぶことができる。
【００１６】
この板状部材１００は、平面形状がほぼ矩形の平板状をなす基板１１１により構成され、コーナー部に係合用凹凸部１１２Ａ，１１２Ｂを、側縁に折曲げ爪１１３およびこの折曲げ爪１１３と対応する係止窪み１１４を、中央部に開口１１５を有する。
【００１７】
この基板１１１に、壁体１２０が立設されており、壁体１２０は、囲い壁１２１、および囲い壁１２１の端部間に設けられた中間壁１２４により構成されている。
【００１８】
囲い壁１２１には、基板１１１の長手方向の一端から中央付近まで基板１１１の面に対する投影形状がコ字形をなすように立設され、その中央の一部が切起こされて先端に他の板状部材と係合する係合爪１２２が形成され、かつ他のケーブル巻取器と重ねる場合に、他のケーブル巻取器の板状部材における係合爪１２２の先端が入り込む逃げ穴１２３が形成されている。
【００１９】
そして、中間壁１２４および囲い壁１２１には、ケーブル受け用の切込み１２５，１２６が設けられている。
【００２０】
この図２に示した板状部材１００を２個用意して腹合わせに組み合わせることにより、ケーブル巻取器が形成される（図１(b)参照、[ただし、図１(b)ではケーブルを巻いた状態である。]）。そして、このケーブル巻取器は１単位であって、この１単位を複数個重ね合わせて係合用凹凸部１１２Ａ，１１２Ｂを互いに嵌合することにより、複数のケーブル巻取器の重層構造にすることができる。
【００２１】
そして、ケーブル巻取器は、複数個を重層構造に重ねることができるように、係合用突起１１２Ａと係合用凹部１１２Ｂとを嵌合させることにより一対の板状部材１００Ａ，１００Ｂを固定する構成となっている。
【００２２】
図３は、図１(b)に示した状態のケーブル巻取器を、クリアケース２００に収納してケーブル１０を少し引き出した状態を示している。
【００２３】
クリアケース２００は、ケーブル巻取器を収容する空間を形成する箱体２２０と、箱体２２０の基板（図示背面）と並行となる面から延び出した延在部２１０の、板２１１の中央部に平たい３角形の懸留用穴２１２を有する延在部２１０とを備えている。
【００２４】
箱体２２０は、ケーブル巻取器を内部空間にすっぽりと収納してケーブル巻取器に塵埃があまり侵入しないようにし、かつケーブル１０を引き出した状態におけるように上端面２２１にはケーブル穴２２２が設けられている。ケーブル穴は、下端面等の箱体の他の部分に設けられてもよい。
【００２５】
これにより、ケーブルの配線終了後に、クリアケース２００を壁に予め設けておいた懸け具（図示せず）に、懸留用穴２１２を利用して懸けることができる。
【他の実施例】
【００２６】
上記実施例では、一対の半部材を４つの折曲げ爪１１３と４つの係止窪みとの係止、ならびに２つの係合爪１２２と２つの爪掛１１６との係合による６点留めで固定しているが、これらの個数はケーブル巻取器の寸法等に応じて適宜変更することができる。
【００２７】
また、係合爪１２２と爪掛１１６との係合位置は、係合爪１２２の形状を変更し、爪掛１１６の位置をずらすことで設計的に変更することができる。
【図面の簡単な説明】
【００２８】
【図１】図１は、本考案の一実施例の外観形状を示したもので、図１(a)は本考案の一実施例の組み立て途中の状態を、図１(b)は組み立て後の状態を示す説明図。
【図２】図２は、本考案の一実施例を構成するために用いる半部材の詳細構造を示す斜視図。
【図３】図３は、本考案に係るケーブル巻取器をクリアケースに収容した状態を示す斜視図。
【図４】従来のケーブル巻取ケースを示す説明図。
【符号の説明】
【００２９】
１０  ケース、１１Ａ  突起、１１Ｂ  ケーブル通し穴、１２  半部材、
１３  ヒンジ、１００Ａ、１００Ｂ  板状部材、１１１  基板、
１１２Ａ，１１２Ｂ  係合用凹凸部、１１３  折曲げ爪、１１４  係止窪み、１１５  開口、１１６  爪掛、１２１  囲い壁、１２２  係合爪、
１２３  逃げ穴、１２４  中間壁、１２５，１２６  切込み、
２００  クリアケース、２１０  延在部、２１１  延在部板、
２１２  懸留用穴、２２０  箱体、２２１  上端面、２２２  ケーブル穴。
【図１】
0003140990.tif 000003
【図２】
0003140990.tif 000004
【図３】
0003140990.tif 000005
【図４】
0003140990.tif 000006